【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
現ブロックのイントラ予測モードを導出し、
複数の参照サンプルラインから１つ以上の参照サンプルラインを選択し、
選択した参照サンプルラインを用いて、前記現ブロックのためのイントラ予測の参照サンプルを導出し、
前記イントラ予測モード及び前記参照サンプルに基づいて現ブロックに対するイントラ予測を行うことによって予測ブロックを生成する、画像復号方法。
【請求項２】
前記参照サンプルラインの選択は、前記現ブロックの境界が所定領域であるか否かに基づいて行われる、請求項１に記載の画像復号方法。
【請求項３】
前記所定領域は、符号化ツリーユニットである、請求項２に記載の画像復号方法。
【請求項４】
前記選択された参照サンプルラインの数は、現ブロックの境界が所定領域の境界であるか否かに基づき異なって決定される、請求項１に記載の画像復号方法。
【請求項５】
前記現ブロックの境界が前記所定領域の境界である場合、前記選択された参照サンプルラインの数は、１である、請求項４に記載の画像復号方法。
【請求項６】
前記現ブロックの上側境界が前記所定領域の境界である場合、左側及び上側についての前記選択された参照サンプルラインの数は互いに異なり、前記左側の参照サンプルラインの数は、前記上側の参照サンプルラインの数よりも大きい、請求項４に記載の画像復号方法。
【請求項７】
前記現ブロックが色差ブロックである場合、前記現ブロックの前記イントラ予測モードは、輝度の対応ブロックのイントラ予測モードを用いて導出され、かつ、
前記輝度の対応ブロックの位置は、前記現ブロックに対応する輝度ブロックの中心サンプルの位置として決定される、請求項１に記載の画像復号方法。
【請求項８】
前記イントラ予測モードがＤＣモードである場合、前記現ブロックのイントラ予測に用いられる参照サンプルのレンジは、前記現ブロックの形状に基づいて決定される、請求項１に記載の画像復号方法。
【請求項９】
前記現ブロックが矩形であり、かつ、前記イントラ予測モードがＤＣモードである場合、前記現ブロックのイントラ予測は、前記現ブロックの幅及び高さのうち長い方に隣接する参照サンプルの平均値を用いて行われる、請求項８に記載の画像復号方法。
【請求項１０】
前記参照サンプルの数が２ｎである場合、前記平均値は、ｎビットのシフト処理によって得られる、請求項９に記載の画像復号方法。
【請求項１１】
現ブロックのイントラ予測モードを決定し、
複数の参照サンプルラインから１つ以上の参照サンプルラインを選択し、
前記選択された参照サンプルラインを用いて、前記現ブロックのためのイントラ予測の参照サンプルを導出し、
前記イントラ予測モード及び前記参照サンプルに基づいて前記現ブロックに対するイントラ予測を行うことによって予測ブロックを生成する、
画像符号化方法。
【請求項１２】
前記参照サンプルラインの選択は、前記現ブロックの境界が所定領域であるか否かに基づいて行われる、請求項１１に記載の画像符号化方法。
【請求項１３】
前記所定領域は、符号化ツリーユニットである、請求項１２に記載の画像符号化方法。
【請求項１４】
前記選択された参照サンプルラインの数は、現ブロックの境界が所定領域の境界であるか否かに基づき異なって決定される、請求項１１に記載の画像符号化方法。
【請求項１５】
前記現ブロックの境界が前記所定領域の境界である場合、前記選択された参照サンプルラインの数は、１である、請求項１４に記載の画像符号化方法。
【請求項１６】
前記現ブロックの上側境界が前記所定領域の境界である場合、左側及び上側についての前記選択された参照サンプルラインの数は互いに異なり、前記左側の参照サンプルラインの数は、前記上側の参照サンプルラインの数よりも大きい、請求項１４に記載の画像符号化方法。
【請求項１７】
前記現ブロックが色差ブロックである場合、前記現ブロックの前記イントラ予測モードは、輝度の対応ブロックのイントラ予測モードを用いて符号化され、かつ、
前記輝度の対応ブロックの位置は、前記現ブロックに対応する輝度ブロックの中心サンプルの位置として決定される、請求項１１に記載の画像符号化方法。
【請求項１８】
前記イントラ予測モードがＤＣモードである場合、前記現ブロックのイントラ予測に用いられる参照サンプルのレンジは、前記現ブロックの形状に基づいて決定される、請求項１１に記載の画像符号化方法。
【請求項１９】
前記現ブロックが矩形であり、かつ、前記イントラ予測モードがＤＣモードである場合、前記現ブロックのイントラ予測は、前記現ブロックの幅及び高さのうち長い方に隣接する参照サンプルの平均値を用いて行われる、請求項１８に記載の画像符号化方法。
【請求項２０】
画像復号装置によって受信及び復号され、かつ、画像の再構築に用いられるビットストリームを記憶するコンピュータ読み取り可能な記録媒体であって、
前記ビットストリームは、現ブロックの予測についての情報であって、前記現ブロックのイントラ予測モードの導出に用いられる前記情報を含み、
前記現ブロックの前記イントラ予測モードは、前記現ブロックに対してイントラ予測を行うことによって予測ブロックを生成するために用いられ、
前記イントラ予測に用いられる参照サンプルは、複数の参照サンプルラインから選択された１つ以上の参照サンプルラインを用いて導出される、記録媒体。
【手続補正２】
【補正対象書類名】明細書
【補正対象項目名】発明の名称
【補正方法】変更
【補正の内容】
【発明の名称】画像復号方法、画像符号化方法、及び記録媒体
【手続補正３】
【補正対象書類名】明細書
【補正対象項目名】０００１
【補正方法】変更
【補正の内容】
【０００１】
本発明は、画像復号方法、画像符号化方法、及び記録媒体に関する。具体的には、本発明は、画面内予測を用いた画像復号方法、画像符号化方法、及び本発明の画像符号化方法（又は装置）によって生成されたビットストリームを記憶した記録媒体に関する。
【手続補正４】
【補正対象書類名】明細書
【補正対象項目名】０００４
【補正方法】変更
【補正の内容】
【０００４】
本発明は、圧縮効率が向上した画像復号方法及び画像符号化方法を提供することを目的とする。
【手続補正５】
【補正対象書類名】明細書
【補正対象項目名】０００５
【補正方法】変更
【補正の内容】
【０００５】
また、本発明は、圧縮効率が向上した画面内予測を用いた画像復号方法及び画像符号化方法を提供することを目的とする。
【手続補正６】
【補正対象書類名】明細書
【補正対象項目名】０００６
【補正方法】変更
【補正の内容】
【０００６】
また、本発明は、本発明の画像符号化方法によって生成されたビットストリームを記憶した記録媒体を提供することを目的とする。
【手続補正７】
【補正対象書類名】明細書
【補正対象項目名】００２７
【補正方法】変更
【補正の内容】
【００２７】
本発明によれば、圧縮効率が向上した画像復号方法及び画像符号化方法を提供できる。
【手続補正８】
【補正対象書類名】明細書
【補正対象項目名】００２８
【補正方法】変更
【補正の内容】
【００２８】
また、本発明によれば、圧縮効率が向上した画面内予測を用いた画像復号方法及び画像符号化方法を提供できる。
【手続補正９】
【補正対象書類名】明細書
【補正対象項目名】００２９
【補正方法】変更
【補正の内容】
【００２９】
また、本発明によれば、本発明の画像復号方法によって生成されたビットストリームを記憶した記録媒体を提供できる。